(57)【特許請求の範囲】
【請求項１】
喫煙場所となる空間に空気浄化緑化装置が設けられ、この空気浄化緑化装置は、通気性を有し片面に植物が植えられ煙草の煙に含まれる有害成分を除去可能な植物生育基盤と、この植物生育基盤の前記植物が植えられた面と反対の面に隣接して設けられて前記植物生育基盤を通過させる空気の経路となる通気用経路と、前記喫煙場所となる空間の空気を前記通気用経路を通じて前記植物生育基盤へ送る送風手段とを有し、
前記喫煙場所となる空間は天井面と四方の壁面とで囲まれた空間であり、前記空気浄化緑化装置は、前記植物が植えられる片面が前記喫煙場所となる空間の一つの壁面を成すように設置され、前記喫煙場所となる空間内の空気を外界に排出する排気口が、前記空気浄化緑化装置の前記植物が植えられる片面と対向する前記喫煙場所となる空間の壁面付近の天井面に設けられた、
喫煙空間。
【請求項２】
請求項１に記載の喫煙空間において、前記空気浄化緑化装置の前記植物が植えられる前記片面の近傍に、喫煙者が喫煙のために滞在するときに利用する喫煙用設備が設けられた喫煙空間。
【請求項３】
請求項１または請求項２に記載の喫煙空間において、前記植物生育基盤および前記通気用経路の下方に前記喫煙場所となる空間の空気を吸い込む空気吸込口が設けられた喫煙空間。
【発明の詳細な説明】
【技術分野】
【０００１】
この発明は、喫煙室等の喫煙空間に関し、特に煙草の煙によって汚染された空気を浄化する機能を有し、かつ緑化機能を兼ね備えた喫煙空間に関する。
【背景技術】
【０００２】
公共施設、商業施設、オフィス等には喫煙場所を限定する喫煙空間が設けられている。分煙を完全に実現するために、喫煙空間は喫煙室のような閉鎖空間であることが望ましい。しかし、喫煙室等の閉鎖空間では、煙草の煙による汚染された空気が滞留するため、この汚染された空気を喫煙者自身が吸い込むことによる健康被害が問題となる。
【０００３】
このような喫煙室環境の対策として、これまでは主に、換気により空気を入れ替えることが行われていた。具体的には、厚労省のガイドラインに示されている基準値に基づいて、出入口で０．２ｍ／ｓ以上の空気の流れが発生し、かつ室内の粉塵平均濃度を０．１５ｍｇ／ｍ３以下に維持するように換気量が設定される。しかし、喫煙者の人数が多かったり、喫煙室の広さが狭かったりした場合、前記基準値を満たすことが難しいことがある。そこで、喫煙室内における喫煙場所を換気扇の真下に限定する、喫煙室内に喫煙コーナーを設ける等の工夫がなされている。
【０００４】
また、図９のように、喫煙室等の喫煙空間に空気浄化装置６０を設置することも行われている。空気浄化装置６０の吸引口６１の近辺で喫煙者が煙草を吸うことで、煙草の煙が吸引口６１から装置内に吸引され、煙に含まれる粒子状の有害成分が除去される。
【先行技術文献】
【特許文献】
【０００５】
【特許文献１】特開２００６−１４１４７０号公報
【特許文献２】特許第４７０８０７５号
【発明の概要】
【発明が解決しようとする課題】
【０００６】
換気による喫煙室の環境対策には、以下の問題があった。
・換気扇等の換気システムの換気量が十分でない場合、喫煙室内に煙草の煙成分が残留する。
・出入口の位置によっては、吸気と排気とが混じり合い、新鮮な空気が喫煙室内に供給されない恐れがある。
・部屋の広さに対する換気量が十分であっても、換気の気流速度が遅い場合、副流煙等が部分的に高濃度な状態となって滞留することがある。
・灰皿に仮置きした吸いかけの煙草から、煙成分を含んだ空気が喫煙者の口や鼻の近辺に立ち上ってきて、それを吸引してしまう恐れがある。
【０００７】
また、喫煙室内に空気浄化装置を設置しても、煙に含まれる粒子状の有害成分は除去できるが、一酸化炭素等の有害な気体成分は除去することができないという問題がある。
【０００８】
この発明の目的は、喫煙場所となる空間を清浄に保つことができて、喫煙者の健康被害を抑えることができ、かつ緑化機能を兼ね備えた喫煙空間を提供することである。
【課題を解決するための手段】
【０００９】
この発明の喫煙空間は、喫煙場所となる空間に空気浄化緑化装置が設けられ、この空気浄化緑化装置は、通気性を有し片面に植物が植えられ煙草の煙に含まれる有害成分を除去可能な植物生育基盤と、この植物生育基盤の前記植物が植えられた面と反対の面に隣接して設けられて前記植物生育基盤を通過させる空気の経路となる通気用経路と、前記喫煙場所となる空間の空気を前記通気用経路を通じて前記植物生育基盤へ送る送風手段とを有し、
前記喫煙場所となる空間は天井面と四方の壁面とで囲まれた空間であり、前記空気浄化緑化装置は、前記植物が植えられる片面が前記喫煙場所となる空間の一つの壁面を成すように設置され、前記喫煙場所となる空間内の空気を外界に排出する排気口が、前記空気浄化緑化装置の前記植物が植えられる片面と対向する前記喫煙場所となる空間の壁面付近の天井面に設けられている。
【００１０】
この構成によると、喫煙空間の汚染された空気が、空気浄化緑化装置の通気用経路および通気性を有する植物生育基盤を通り抜けて流れる。植物生育基盤を流れる空気の流れの向きは、通気用経路が設けられた側から植物が植えられた側への向きである。汚染された空気が植物生育基盤を流れる過程で、ニコチン、タール等の粒子状の有害物質が吸着、捕集されると共に、植物生育基盤に棲む微生物によって一酸化炭素等の有害な気体成分が分解されて無毒化される。これにより、喫煙空間の空気が浄化され、喫煙者の健康被害を抑えることができる。なお、この発明の喫煙空間は、建物内に設けられてもよく、屋外の中庭や広場等に仕切り壁と天井面で区画された空間であってもよい。
【００１１】
喫煙空間は安らぐための空間であるが、植物による緑化機能が加わることでリラックス効果が相乗的に高められる。しかも、空気の浄化が緑化のための植物生育基盤で行われ、浄化のためのフィルタ等を別途に設けることが不要になるうえ、通常のフィルタでは除去できない一酸化炭素等の有害な気体成分を除去できる。
【００１２】
前記空気浄化緑化装置は、前記喫煙場所となる空間の空気を前記通気用経路を通じて前記植物生育基盤へ送る送風手段を有するため、植物生育基盤を通り抜ける空気の量を増やすことができ、空気浄化効果が高まる。また、植物生育基盤を、通気用経路が設けられた側から植物が植えられた側へ空気が流れるため、植物生育基盤によって浄化された空気が植物に当たり、植物に有害物質が付着することを避けられる。
【００１３】
また、上記送風手段を有する場合、前記空気浄化緑化装置の前記植物が植えられる前記片面の近傍に、喫煙者が喫煙のために滞在するときに利用する喫煙用設備が設けられていてもよい。
この構成であると、喫煙用設備を利用して喫煙中の喫煙者に対して、植物生育基盤によって浄化された空気が吹き付けられ、周囲の汚染された空気を喫煙者から遠ざける。このため、喫煙者が、周囲の汚染された空気を吸い込まずに済む。
【００１４】
前記喫煙場所となる空間内の空気を外界に排出する排気口は、前記空気浄化緑化装置から水平方向に離れた位置の天井面に設けられているが、煙草の煙は上昇するため、排気口が天井面に設けられていると、煙草の煙が排気口から排出され易い。また、排気口が空気浄化緑化装置から水平方向に離れた位置に設けられていると、空気浄化緑化装置で浄化された空気が、閉鎖空間からなる喫煙場所となる空間を通って、空気浄化緑化装置から離れた位置にある排気口から排出される。これにより、喫煙場所となる空間の広い範囲に浄化空気を行き渡らせることができると共に、換気が効率良く行われる。
さらに、排気口の近くにいる喫煙者から出る煙はそのまま排気口から排出され、排気口から離れた位置にいる喫煙者から出る煙は、空気浄化緑化装置によって浄化された清浄な空気とほとんど混じり合わずに排出される。このため、排気口が空気浄化緑化装置から水平方向に離れた位置に設けられていると、効率的に室内を清浄化することができる。
【００１５】
前記空気浄化緑化装置は、前記植物が植えられる片面が前記喫煙場所となる空間の壁面を成すように設置される。
この場合、喫煙場所となる空間を広く有効に利用することができる。また、喫煙者が壁面を成す植物を眺めながら喫煙することができ、リラックス効果が高まる。
【００１６】
この発明において、前記空気浄化緑化装置は、前記喫煙場所となる空間の空気を前記通気用経路を通じて前記植物生育基盤へ送る送風手段を有し、前記植物生育基盤および前記通気用経路の下方に空気を吸い込む空気吸込口が設けられているとよい。
植物生育基盤および通気用経路の下方に空気吸込口が設けられていると、喫煙場所となる空間の床面近くの汚染された空気が空気吸込口から吸い込まれ、植物生育基盤によって浄化された空気が喫煙者に吹き付けられる。このため、喫煙者の健康被害を抑えることができると共に、喫煙者の衣服に臭いが付き難い。
【発明の効果】
【００１７】
この発明の喫煙空間は、喫煙場所となる空間に空気浄化緑化装置が設けられ、この空気浄化緑化装置は、通気性を有し片面に植物が植えられ煙草の煙に含まれる有害成分を除去可能な植物生育基盤と、この植物生育基盤の前記植物が植えられた面と反対の面に隣接して設けられて前記植物生育基盤を通過させる空気の経路となる通気用経路と、前記喫煙場所となる空間の空気を前記通気用経路を通じて前記植物生育基盤へ送る送風手段とを有し、
前記喫煙場所となる空間は天井面と四方の壁面とで囲まれた空間であり、前記空気浄化緑化装置は、前記植物が植えられる片面が前記喫煙場所となる空間の一つの壁面を成すように設置され、前記喫煙場所となる空間内の空気を外界に排出する排気口が、前記空気浄化緑化装置の前記植物が植えられる片面と対向する前記喫煙場所となる空間の壁面付近の天井面に設けられたため、喫煙場所となる空間を清浄に保ち、喫煙者の健康被害を抑えることができ、かつ喫煙場所となる空間を緑化することでリラックス効果が高まる。
【図面の簡単な説明】
【００１８】
【図１】この発明の一実施形態にかかる喫煙空間の破断側面図である。
【図２】同喫煙空間の斜視図である。
【図３】同空気浄化緑化装置の破断側面図である。
【図４】同喫煙空間の空気浄化緑化装置付近の斜視図である。
【図５】この発明の異なる実施形態にかかる喫煙空間の空気浄化緑化装置の平面図である。
【図６】同空気浄化緑化装置の破断側面図である。
【図７】参考提案例にかかる喫煙空間の空気浄化緑化装置の斜視図である。
【図８】同空気浄化緑化装置の破断側面図である。
【図９】従来の空気浄化装置の斜視図である。
【発明を実施するための形態】
【００１９】
この発明の一実施形態を図１ないし図４と共に説明する。
図１および図２に示すように、喫煙場所となる空間１は、周囲が床面２、天井面３、および四方の壁面４，５，６，７で囲まれた直方体形状の閉鎖空間からなる。四方の壁面４〜７のうちの後記空気浄化緑化装置１０が設置される壁面４を除く３つの壁面５，６，７のいずれかに出入口（図示せず）が設けられている。但し、喫煙場所となる空間１の形状は直方体に限らない。
【００２０】
喫煙場所となる空間１の一壁面４には、空気浄化緑化装置１０が設置されている。この空気浄化緑化装置１０は、図３に示すように、片面に植物２５が植えられる土壌層等の植物生育基盤１１と、この植物生育基盤１１の他の片面に沿って設けられた通気用経路１２とを有する。植物生育基盤１１および通気用経路１２は、箱状の装置躯体１３の内部に設けられている。装置躯体１３は、水平方向の厚みが薄く壁面４に沿って広がる壁パネル形状である。装置躯体１３の壁面４と反対側の面は、開口面１３ａとなっている。
【００２１】
植物生育基盤１１は、装置躯体１３の内部における開口面１３ａに近い側の位置に開口面１３ａに沿って設けられている。そして、植物生育基盤１１の喫煙場所となる空間１の中心側を向く面に植物２５が植えられる。通気用経路１２は、装置躯体１３における壁面４側の側板部１３ｂと植物育成基盤１１との間に形成されている。植物生育基盤１１と通気用経路１２との間には、メッシュ材等の通気性部材１４が介在させてある。また、植物生育基盤１１の植物２５が植えられる片面は、前記通気性部材１４と同様の別の通気性部材１５で覆われている。
なお、この実施形態では、植物生育基盤１１の他の片面の全域に沿って通気用経路１２が設けられているが、他の片面の一部に沿ってだけ通気用経路１２が設けられていてもよい。また、この実施形態では、物生育基盤１１における植物２５が植えられた面と反対側の面に沿って通気用経路１２が設けられているが、それ以外の面、例えば上下の面や側面に沿って通気用経路１２が設けられていてもよい。
【００２２】
前記植物生育基盤１１としては、通気性のある軽量土壌が用いられる。具体的には、自然土壌の他に、バーク堆肥等の有機系土壌改良材、或いはパーライト等の無機系土壌改良材等の様々な一般に流通する資材を適宜組み合わせたものを用いる。また、活性炭等の多孔物質が土壌中に含まれていてもよい。これらの土壌には、煙草の煙に含まれる一酸化炭素等の有害成分を分解する微生物が棲息する。煙草の煙に含まれる有害成分を除去可能であれば、他にマット状やその他の形態の樹脂製のスポンジ状やフェルト状材、セラミック等を用いてもよい。
【００２３】
装置躯体１３の内部における植物生育基盤１１および通気用経路１２の下方部分は、空気室１７になっている。空気室１７は、連通孔１８で通気用経路１２と繋がっている。空気室１７の喫煙場所となる空間１の中心側を向く面には、空気吸込口１７ａが設けられている。空気室１７内には、通気用経路１２に空気を送る送風手段としてのファン１９が設けられている。ファン１９は、例えばターボファンである。ファン１９を駆動すると、空気吸込口１７ａから喫煙場所となる空間１の空気を吸い込み、その空気が空気室１７および通気用経路１２を通り、さらに植物生育基盤１１を通過して喫煙場所となる空間１に吹き出る空気の流れが生じる。ファン１９の空気送り方向を逆向きにして、逆向きの空気の流れが生じるようにしてもよい。
【００２４】
植物生育基盤１１の上部には、灌水設備２１が埋設されている。灌水設備２１は、例えば外周に複数の孔が開けられた管からなり、前記孔から水が出るタイプのものである。灌水設備２１は、図示しない給水源に接続されている。また、植物生育基盤１１の下側には、植物生育基盤１１から落ちてくる余剰の水を受ける樋２２が設けられている。樋２２は、紙面と垂直な方向に傾斜しており、受けた水を傾斜の下位側へ案内して装置躯体１３の外に排出するようになっている。
【００２５】
図１、図２において、喫煙場所となる空間１の天井面３には、閉鎖空間である喫煙場所となる空間１の空気を外界に排出する排気口３１が設けられている。排気口３１は排気ダクト（図示せず）に接続されている。排気口３１の位置は、空気浄化緑化装置１０から水平方向に離れた位置である。床面２には、喫煙場所となる空間１に新鮮な空気を取り入れる空気取入口３２が複数箇所に設けられている。
【００２６】
図１、図４に示すように、喫煙場所となる空間１における、空気浄化緑化装置１０の植物２５が植えられる片面の近傍に、喫煙者が喫煙のために滞在するときに利用する喫煙用設備３３が設けられている。図の例の喫煙用設備３３は喫煙者が腰かけるバーチェアであるが、喫煙用設備３３はバーチェア以外の椅子類であってもよく、またはテーブル等の椅子以外の設備であってもよい。
【００２７】
この構成の喫煙空間は、以下のように作用する。
排気ダクトによる換気を行うことで、天井面３に設けられた排気口３１から喫煙場所となる空間１の空気が外界に排出されると共に、床面２に設けられた空気取入口３２から外界の新鮮な空気が喫煙場所となる空間１に取り入れられる。また、空気浄化緑化装置１０のファン１９を駆動することで、空気浄化緑化装置１０の下部に設けられた空気吸込み口１７ａから喫煙場所となる空間１の床面２付近の空気を吸い込み、その空気を植物生育基盤１１により浄化して、植物生育基盤１１の植物２５が植えられている面から喫煙場所となる空間１に吹き出す。これにより、喫煙場所となる空間１に、空気浄化緑化装置１０付近から排気口３１へ向かう空気の流れが生じるため、喫煙場所となる空間１に空気の滞りが起きにくく、上記換気が円滑に行われる。
【００２８】
喫煙場所となる空間１の汚染された空気が、空気浄化緑化装置１０の植物生育基盤１１を通り抜けて流れる過程で、ニコチン、タール等の粒子状の有害物質が吸着、捕集されると共に、植物生育基盤１１に棲む微生物によって一酸化炭素等の有害な気体成分が分解されて無毒化される。つまり、通常の空気浄化装置では除去できない一酸化炭素等の有害な気体成分も除去できる。空気浄化緑化装置１０に送風手段としてのファン１９が設けられているため、植物生育基盤１１を通り抜ける空気の量を増やすことができ、植物生育基盤１１による空気浄化効果が高い。これらのことから、喫煙場所となる空間１の空気が浄化され、喫煙者の健康被害を抑えることができる。
【００２９】
ファン１９により、空気が植物生育基盤１１を通気用経路１２側から喫煙場所となる空間１側へ通り抜けて流れるため、植物生育基盤１１によって浄化された空気が植物２５に当たり、植物２５に有害物質が付着することを避けられる。また、この実施形態のように、空気浄化緑化装置１０の植物２５が植えられる片面の近傍に喫煙用設備３３が設けられている場合、喫煙用設備３３を利用して喫煙中の喫煙者に対して、植物生育基盤１１によって浄化された空気が吹き付けられる、周囲の汚染された空気を喫煙者から遠ざける。このため、喫煙者が、周囲の汚染された空気を吸い込まずに済む。さらに、植物生育基盤１１および通気用経路１２の下方に空気吸込口１７ａが設けられているため、床面２近くの汚染された空気が空気吸込口１７ａから吸い込まれ、植物生育基盤１１によって浄化された空気が喫煙者に吹き付けられる。このため、喫煙者の衣服に臭いが付き難い。
【００３０】
排気口３１が天井面３に設けられているため、上昇する煙草の煙が排気口３１から排出され易い。また、排気口３１が空気浄化緑化装置１０から水平方向に離れた位置に設けられているため、空気浄化緑化装置１０で浄化された空気が、閉鎖空間からなる喫煙場所となる空間１を端から端へと通って排気口３１から排出される。これにより、喫煙場所となる空間１の広い範囲に浄化空気を行き渡らせることができると共に、換気が効率良く行われる。
さらに、排気口３１の近くにいる喫煙者から出る煙はそのまま排気口３１から排出され、排気口３１から離れた位置にいる喫煙者から出る煙は、空気浄化緑化装置１０によって浄化された清浄な空気をほとんど混じり合わずに排出される。このため、排気口３１が空気浄化緑化装置１０から水平方向に離れた位置に設けられていると、効率的に室内を清浄化することができる。
なお、図の例では設けられていないが、喫煙場所となる空間１の形状等により喫煙場所となる空間１の一部に空気が滞り易い場合には、その空気が滞り易い場所の空気を排気口３１に導くガイドを設けてもよい。
【００３１】
空気浄化緑化装置１０は、植物２５が植えられる片面が喫煙場所となる空間１の壁面を成すように設置されているため、喫煙場所となる空間１を広く有効に利用することができる。また、喫煙者が壁面を成す植物２５を眺めながら喫煙することができ、リラックス効果が高まる。
【００３２】
このように、この喫煙空間は、喫煙場所となる空間１に空気浄化緑化装置１０を設けたため、喫煙場所となる空間１の空気を浄化する効果と換気を促進する効果の両方が得られる。これに加えてこの喫煙空間で得られる効果を、以下に列挙する。
【００３３】
・喫煙場所となる空間１に滞留している空気を浄化できるため、喫煙場所となる空間１に臭いや汚染物質が残り難く、天井面３や壁面４，５，６，７の汚れを低減できる。
・喫煙者が副流煙等を浴びる時間が減少するため、喫煙者の衣服等に有害物質が残り難い。これにより、喫煙者が喫煙場所となる空間１から出たときに、周囲に臭いを振りまかずに済む。
・排気ダクトによる換気で喫煙場所となる空間１の空気を吸引する力に加えて、空気浄化緑化装置１０により喫煙場所となる空間１に排気口３１側へ送る空気の流れを生じさせるため、出入口から喫煙場所となる空間１外へ煙草の煙が漏れ出るのを低減することができる。
【００３４】
上記実施形態の空気浄化緑化装置１０は、壁面に設置され片面だけを緑化する構成であるが、空気浄化緑化装置が空間を分けるパーテーションや界壁である場合、図５および図６のように両面を緑化する構成としてもよい。この空気浄化緑化装置１０Ａは、片面に植物２５が植えられた２つの植物生育基盤１１，１１を備え、これら２つ複数の植物生育基盤１１，１１を、植物２５の植えられた面がそれぞれ外側を向くように背中合わせで配置されている。２つの植物生育基盤１１，１１の間が通気用経路１２となっている。
【００３５】
ファン１９を駆動すると、空気浄化緑化装置１０Ａの一方の側面（図の右側面）に設けられた空気吸込口１７ａから喫煙場所となる空間１の空気を吸い込み、その空気が空気室１７および通気用経路１２を通り、さらに両側の植物生育基盤１１，１１を通過して喫煙場所となる空間１に吹き出される。前記同様に、喫煙場所となる空間１の汚染された空気が植物生育基盤１１，１１を通過する過程で浄化される。
【００３６】
図７および図８は、参考提案例にかかる空気浄化緑化装置を示す。
この空気緑化浄化装置４０は、植物生育基盤４１（図８）が収容され上方が開口した容器状の内側ケース４３と、この内側ケース４３の上側に被せられるカバー部材４４とを有する。この例では、内側ケース４３およびカバー部材４４の平面形状は長方形であり、カバー部材４４の一部分に人が腰かけることが可能な座面４５を有する。
【００３７】
図８に示すように、前記内側ケース４３の内部は、上段の主室４６および副室４７と、下段の空気室４８とに分かれている。主室４６および副室４７と空気室４８とは上下仕切り板４３ａによって仕切られ、主室４６と副室４７とは仕切り壁４３ｂによって仕切られている。前記植物生育基盤４１は、主室４６に収容されている。植物生育基盤４１としては、前記実施形態の植物生育基盤１１と同様の通気性のある軽量土壌が用いられる。
【００３８】
植物生育基盤４１の上部には、灌水設備４９が埋設されている。灌水設備４９は、前記実施形態のものと同様に、複数の孔が開けられた配管からなり、前記孔から水が出るタイプのものである。植物生育基盤４１の下面と上下仕切り板４３ａとの間には、通気用経路５０が形成されている。植物生育基盤４１は、上下仕切り板４３ａから上方に離れた位置に設けられたネット状の通気性・通水性素材（図示せず）の上に保持されている。
【００３９】
内側ケース４３における前記空気室４８を囲む側面部には、複数の空気吸込口５１が設けられている。空気室４８と通気用経路５０とは副室４７の下方となる位置で、上下仕切り板４３ａに開けられた通風用開口５２を介して連通している。そして、この通風用開口５２に、空気室４８側から通気用経路５０側へ送風する送風手段としてのファン５３が設けられている。ファン５３を回転駆動すると、空気が空気吸込口５１から空気室４８内に吸い込まれ、さらに通風用開口５２を通って通気用経路５０に入り、植物生育基盤４１を下から上へと通り抜ける空気の流れが生じる。
【００４０】
副室４７には、制御盤５５、前記灌水設備４９に送り出すポンプ５６等設けられている。灌水用の水は、空気緑化浄化装置４０の内部に設けた水タンクに貯えておいてもよく、或いは水道等の別の水源から導き入れてもよい。また、ファン５３およびポンプ５６は、空気緑化浄化装置４０の内部に設けたバッテリで駆動してもよく、或いは外部の商用電源で駆動してもよい。
【００４１】
前記カバー部材４４は、水平状の上板部４４ａと、この上板部４４ａの外周縁から下方に延びる側板部４４ｂとからなり、内側ケース４３の上端の上に上板部４４ａが載ることで、内側ケース４３に支持されている。カバー部材４４の側板部４４ｂは、内側ケース４３の側面部４３ｃの上部をほとんど隙間のない状態で覆っている。植物生育基盤４１の上面とカバー部材４４の上板部４４ａとの間に通気層５８が形成されるように、植物生育基盤４１の上面の高さは内側ケース４３の上端よりも低い位置に定められている。カバー部材４４の材質は、ベンチとして人が腰かけても十分耐え得る程度の強度を有し、かつ湿気が触れても変質しないような耐水性のあるものが望ましい。例えば、繊維強化プラスチック（ＦＲＰ）が用いられる。前記座面４５は、上板部４４ａにおける内側ケース４３の副室４７の上側に当たる部分に該当する。
【００４２】
図７、図８に示すように、上板部４４ａの座面４５と同一面における座面４５以外の部分に、複数の通気孔５９が設けられている。通気孔５９は、植物生育基盤４１を下から上へ通り抜けた空気をカバー部材４４の外部へ排出するための孔である。この例の場合、複数の矩形の通気孔５９が前後左右に並列に並んでいる。これら複数の通気孔５９のうち任意の通気孔５９を通って植物２５が上に伸びるように、植物生育基盤４１に植物２５が植えられる。
【００４３】
この空気浄化緑化装置４０も、前記空気浄化緑化装置１０と同様に、ファン５３を駆動することで、下部に設けた空気吸込口５１から喫煙場所となる空間１の床面付近の空気を吸い込み、その空気を植物生育基盤４１により浄化して、通気層５８を経て通気孔５９から喫煙場所となる空間１に吹き出す。喫煙場所となる空間１の汚染された空気が植物生育基盤４１を通り抜けて流れる過程で、ニコチン、タール等の粒子状の有害物質が捕集されると共に、植物生育基盤４１に棲む微生物によって一酸化炭素等の有害な気体成分が分解されて無毒化される。
【００４４】
カバー部材４４の一部分に人が腰かけることが可能な座面４５を有するため、この空気浄化緑化装置４０はベンチとして利用できる。座面４５に腰かけた喫煙者や周辺にいる喫煙者に、通気孔５９から排出される清浄な空気が効果的に送られる。また、喫煙者が、植えられた植物２５を目で楽しむことができ、リラックス効果が高まる。
【００４５】
この空気浄化緑化装置４０も、前記空気浄化緑化装置１と同様に、喫煙室等の閉鎖空間である喫煙場所となる空間１に設置することにより、前記同様の作用・効果を得ることができる。なお、建物の一角に定められた閉鎖空間ではない喫煙空間に、これら空気浄化緑化装置１０，４０を設けてもよい。
【符号の説明】
【００４６】
１…喫煙場所となる空間
２…床面
３…天井面
１０，１０Ａ，４０…空気浄化緑化装置
１１，４１…植物生育基盤
１２，５０…通気用経路
１７ａ，５１…空気吸込口
１９，５３…ファン（送風手段）
２５…植物
３１…排気口
３３…喫煙用設備
【図１】
0006559451.tif 000002
【図２】
0006559451.tif 000003
【図３】
0006559451.tif 000004
【図４】
0006559451.tif 000005
【図５】
0006559451.tif 000006
【図６】
0006559451.tif 000007
【図７】
0006559451.tif 000008
【図８】
0006559451.tif 000009
【図９】
0006559451.tif 000010